(57)【要約】【課題】  簡単な作業で外断熱層の外側に通気空間を介して外装材を設置できるようにする。【解決手段】  Ｃ字チャンネル材の多数の縦胴縁８と多数の横胴縁１４を，その交差位置に配置した縦胴縁８の起立片１２に設置した係止舌片１３を横胴縁１４の上下位のうち上位の透孔１８に係止することによって格子状に組んで外装下地７とし，縦胴縁８を外断熱層６の表面に対接固定することによって外装下地７を設置し，これに外装材２１を引掛配置して簡単な作業によって外壁を構成する。外断熱層６の外側には縦胴縁８の厚さによって５ｍｍ程度の通気空間２３が形成される。通気空間２３は一般に２ｃｍ程度であるから，その厚さが薄くなった分，外断熱層６を厚くして建物の断熱性を向上できる。【選択図】        図１
2005307640.tif 000002
【特許請求の範囲】
【請求項１】
相互の交差位置に対をなすようにそれぞれ所定ピッチに配置した係止部を有する金属製の縦胴縁と横胴縁とを備え，該係止部を介して縦胴縁の外側に横胴縁を載架状に支持して外断熱層の外側面に縦胴縁を内側とし横胴縁を外側として格子状とした金属製の外装下地を配置し且つ外側の横胴縁に長手方向に向けて配置した上下の引掛部に外装材を引掛け支持することによって外断熱層と外装材間に外装下地によって形成される通気空間をその内側の縦胴縁の出幅と略同等乃至これに近い幅に設定してなることを特徴とする外断熱建物の外装構造。
【請求項２】
上記内側の縦胴縁を，外断熱層の外側面に対接した状態でネジ，スクリュー釘等の建物構造に対する長手方向に多数の固定金具によって固定して該縦胴縁により外断熱層を建物構造に強圧的に挟持固定してなることを特徴とする請求項１に記載の外断熱建物の外装構造。
【請求項３】
上記縦胴縁及び横胴縁を，それぞれ幅方向両側に低突出の起立リブを配置し該起立リブ間底面に相互に対をなす係止部を配置したＣ字チャンネル材によって形成し，上記通気空間を縦胴縁における起立リブの突出幅によって設定自在としてなることを特徴とする請求項１又は２に記載の外断熱建物の外装構造。
【請求項４】
上記係止部を介した横胴縁の載架状の支持を，縦胴縁幅方向両側の起立リブをガイドとして横胴縁を押下げ降下することによって縦胴縁と横胴縁の係止部相互をスナップイン係止して行ってなることを特徴とする請求項３に記載の外断熱建物の外装構造。
【請求項５】
上記通気空間を，１ｃｍ程度乃至それ以下の幅としてなることを特徴とする請求項１，２，３又は４に記載の外断熱建物の外装構造。
【請求項６】
それぞれ幅方向両側に低突出の起立リブを配置した金属製のＣ字チャンネル材による縦胴縁と横胴縁とを備え，縦胴縁幅方向両側の起立リブをガイドとして横胴縁を押下げ降下することによって縦胴縁と横胴縁の係止部相互をスナップイン係止して縦胴縁に横胴縁を載架状に支持して縦胴縁を内側とし横胴縁を外側とする格子状に形成自在とし且つ横胴縁に外装材の引掛け支持用の引掛部を配置してなることを特徴とする外断熱建物の外装構造に用いる外装下地。
【発明の詳細な説明】
【技術分野】
【０００１】
本発明は外断熱建物に外装材を張設した外断熱建物の外装構造及びこれに用いる外装下地に関する。
【背景技術】
【０００２】
建物の構造躯体の外側に断熱層を配置することによって高気密及び／又は高断熱とする外断熱構造を採用した戸建住宅等の外断熱建物における外装構造として，例えば木製の縦胴縁又は横胴縁をスペーサーを介して建物構造，例えば建物構造材に対する長手方向多数の固定金具によって固定するとともに該縦胴縁又は横胴縁を残した状態でスペーサーを埋め込むように建物構造材に張設した構造用パネルをベースとする現場発泡の外断熱層を形成し，縦胴縁又は横胴縁に外装材を張設して，上記外断熱層と外装材間に縦胴縁又は横胴縁によってその出幅と略同等乃至これに近い幅とした通気空間を配置するようにしたものが知られており，このとき木製の縦胴縁又は横胴縁は幅３ｃｍ，厚さ２ｃｍ程度の角材とされて，通気空間をその厚さに応じた２ｃｍ程度としたものとされている。
【０００３】
【特許文献１】特開２０００−２０４６８８号公報
【発明の開示】
【発明が解決しようとする課題】
【０００４】
この場合外断熱建物に通気空間を備えた外装を行なうことが可能となるが，スペーサーの使用，現場発泡による外断熱層の形成等が必要であり，現場の外装工事が煩雑化する問題点が残されている。
【０００５】
またこの場合，外装材の荷重を受ける縦胴縁又は横胴縁をスペーサーを介してスクリュー釘等の固定金具によって建物構造に対して固定するものとされるため，外装材荷重が縦胴縁又は横胴縁を介して金具に作用する結果，該固定金具の軸に撓み等を招来する可能性が残り，従って外装材荷重を考慮した金具の許容長さ以内で通気空間を有する外断熱の外装構造を構成する必要があり，上記文献の図示例は，建物構造から縦胴縁又は横胴縁までの合計幅（合計厚さ）は実寸で５ｃｍ強程度としているようであり，その構造用パネル０．５ｃｍ，縦胴縁又は横胴縁２ｃｍとし，現場発泡によって２．５乃至３ｃｍ程度の外断熱層を形成したものとされている。
【０００６】
建物構造から縦胴縁又は横胴縁までの合計幅を厚くし，あるいは縦胴縁又は横胴縁の厚さを減少すれば外断熱層の厚さをその分厚くすることが可能となって建物の断熱性を更に向上して好ましい外装構造とし得るが，一般にも建物構造から縦胴縁又は横胴縁までの合計幅は７ｃｍ程度とするのが限界とされ，それ以上とすると金具の軸長さが長くなりすぎることによる上記撓み等の発生によって強度低下を招くものと認識されるから，上記合計幅を厚くすることはできないし，一方縦胴縁又は横胴縁は，木製のものとされてそれ自体の強度を確保しなければならないから，同じくその厚さを減少することもできない。
【０００７】
このため外断熱層に発泡済みの断熱パネルを使用しても，上記金具の軸長さによる合計幅の制約があることによって外断熱層の厚さは最大でも３乃至５ｃｍ程度とするのが限界であり，これを超える外断熱層を形成して建物の断熱性を向上することはできないものとされている。
【０００８】
本発明はこのような事情に鑑みてなされたもので，その解決課題とするところは，第１に，現場の外装工事を容易且つ確実になし得て外装材を安定して支持し得る下地強度を確保するとともに外断熱層の厚さを増加することによって断熱性を向上し得るようにした外断熱建物の外装構造を提供するにあり，第２に，比較的簡単な構造にして外装材を安定して支持し得るようにした外断熱建物の外装構造用外装下地を提供するにある。
【課題を解決するための手段】
【０００９】
上記第１の課題に添って本発明は，相互の交差位置に配置した係止部を介して金属製の縦胴縁に同じく金属製の横胴縁を載架状に支持して，外断熱層の外側面に縦胴縁を内側とし横胴縁を外側とする格子状の金属製外装下地を形成するとともにその外側の横胴縁に対して外装材を引掛け支持することによって，縦胴縁の設置，横胴縁の載架支持，外装材の引掛け支持による省力化した外装工事によって外断熱建物の外装をなし得るようにする一方，金属製とすることによって強度を確保して出幅を減少することが可能となる縦胴縁の出幅を基準として，外装下地の配置によって外断熱層と外装材間に形成される通気空間の幅（厚さ）を規制し得るようにして該通気空間の狭小化をなし得る外装構造とするようにしたものであって，即ち請求項１に記載の発明を，相互の交差位置に対をなすようにそれぞれ所定ピッチに配置した係止部を有する金属製の縦胴縁と横胴縁とを備え，該係止部を介して縦胴縁の外側に横胴縁を載架状に支持して外断熱層の外側面に縦胴縁を内側とし横胴縁を外側として格子状とした金属製の外装下地を配置し且つ外側の横胴縁に長手方向に向けて配置した上下の引掛部に外装材を引掛け支持することによって外断熱層と外装材間に外装下地によって形成される通気空間をその内側の縦胴縁の出幅と略同等乃至これに近い幅に設定してなることを特徴とする外断熱建物の外装構造としたものである。
【００１０】
請求項２に記載の発明は，上記に加えて，内側の縦胴縁の固定と外断熱層の固定を兼用して更に省力化を行なうとともに該縦胴縁と，例えば建物構造材の柱，間柱や壁面構造のコンクリート面等の建物構造間に外断熱層を強圧挟持することによって該外断熱層の高気密設置を可能として更に断熱性を向上し得るように，これを，上記内側の縦胴縁を，外断熱層の外側面に対接した状態でネジ，スクリュー釘等の建物構造に対する長手方向に多数の固定金具によって固定して該縦胴縁により外断熱層を建物構造材に強圧的に挟持固定してなることを特徴とする請求項１に記載の外断熱建物の外装構造としたものである。
【００１１】
請求項３に記載の発明は，同じく上記に加えて，縦胴縁と横胴縁を強度に優れて量産に適した形態とする一方，横胴縁の載架状の縦胴縁の幅方向両側において支持することによって該横胴縁の支持を安定化するとともに上記通気空間を可及的に狭小化するに適したものとするように，これを，上記縦胴縁及び横胴縁を，それぞれ幅方向両側に低突出の起立リブを配置し該起立リブ間底面に相互に対をなす係止部を配置したＣ字チャンネル材によって形成し，上記通気空間を縦胴縁における起立リブの突出幅によって設定自在としてなることを特徴とする請求項１又は２に記載の外断熱建物の外装構造としたものである。
【００１２】
請求項４に記載の発明は，同じく上記に加えて，縦胴縁に対する横胴縁の載架状の支持を，縦胴縁の上記起立リブをガイドとして横胴縁をスライドすることによりスナップイン係止によって簡易且つ安定してなし得るものとするように，これを，上記係止部を介した横胴縁の載架状の支持を，縦胴縁幅方向両側の起立リブをガイドとして横胴縁を押下げ降下することによって縦胴縁と横胴縁の係止部相互をスナップイン係止して行ってなることを特徴とする請求項３に記載の外断熱建物の外装構造としてものである。
【００１３】
請求項５に記載の発明は，同じく上記に加えて，上記通気空間を狭小化して外断熱層の厚さを増加する好ましい形態とするように，これを，上記通気空間を，１ｃｍ程度乃至それ以下の幅としてなることを特徴とする請求項１，２，３又は４に記載の外断熱建物の外装構造としたものである。
【００１４】
請求項６に記載の発明は，上記第２の課題に添って，縦胴縁と横胴縁をそれぞれ強度に優れて量産に適したものとし，縦胴縁に横胴縁を簡易且つ確実に載架状に支持することによって格子状として外装材を安定支持するとともに外断熱層との間に可及的に狭小化した通気空間を形成し得るようにした外装下地を提供するように，これを，それぞれ幅方向両側に低突出の起立リブを配置した金属製のＣ字チャンネル材による縦胴縁と横胴縁とを備え，縦胴縁幅方向両側の起立リブをガイドとして横胴縁を押下げ降下することによって縦胴縁と横胴縁の係止部相互をスナップイン係止して縦胴縁に横胴縁を載架状に支持して縦胴縁を内側とし横胴縁を外側とする格子状に形成自在とし且つ横胴縁に外装材の引掛け支持用の引掛部を配置してなることを特徴とする外断熱建物の外装構造に用いる外装下地としたものである。
【００１５】
本発明はこれらをそれぞれ発明の要旨として上記課題解決の手段としてある。
【発明の効果】
【００１６】
本発明は以上のとおりに構成したから，請求項１に記載の発明は，相互の交差位置に配置した係止部を介して金属製の縦胴縁に同じく金属製の横胴縁を載架状に支持して，外断熱層の外側面に縦胴縁を内側とし横胴縁を外側とする格子状の金属製外装下地を形成するとともにその外側の横胴縁に対して外装材を引掛け支持することによって，縦胴縁の設置，横胴縁の載架支持，外装材の引掛け支持による省力化した外装工事によって外断熱建物の外装をなし得るようにする一方，金属製とすることによって強度を確保して出幅を減少することが可能となる縦胴縁の出幅を基準として，外装下地の配置によって外断熱層と外装材間に形成される通気空間の幅（厚さ）を規制し得るようにして該通気空間の狭小化をなし得るものとして，現場の外装工事を容易且つ確実になし得て外装材を安定して支持する下地強度を確保するとともに外断熱層の厚さを増加することによって断熱性を向上し得るようにした外断熱建物の外装構造を提供することができる。
【００１７】
請求項２に記載の発明は，上記に加えて，内側の縦胴縁の固定と外断熱層の固定を兼用して更に省力化を行なうとともに該縦胴縁と建物構造間に外断熱層を強圧挟持することによって該外断熱層の高気密の設置を可能とすることができる。
【００１８】
請求項３に記載の発明は，同じく上記に加えて，縦胴縁と横胴縁を強度に優れて量産に適した形態とする一方，横胴縁の載架状の縦胴縁の幅方向両側において支持することによって該横胴縁の支持を安定化するとともに上記通気空間を可及的に狭小化するに適したものとすることができる。
【００１９】
請求項４に記載の発明は，同じく上記に加えて，縦胴縁に対する横胴縁の載架状の支持を，縦胴縁の上記起立リブをガイドとして横胴縁をスライドすることによりスナップイン係止によって簡易且つ安定してなし得るものとすることができる。
【００２０】
請求項５に記載の発明は，同じく上記に加えて，上記通気空間を狭小化して外断熱層の厚さを増加する好ましい形態とすることができる。
【００２１】
請求項６に記載の発明は，縦胴縁と横胴縁をそれぞれ強度に優れて量産に適したものとし，縦胴縁に横胴縁を簡易且つ確実に載架状に支持することによって格子状として外装材を安定支持するとともに外断熱層との間に可及的に狭小化した通気空間を形成し得るようにした外装下地を提供することができる。
【発明を実施するための最良の形態】
【００２２】
以下図面の例に基づいて本発明を更に具体的に説明すれば，７は，例えば木造軸組構造の戸建住宅とした外断熱建物における外壁として構成した，その外断熱層の外側面に配置した外装下地であり，該外装下地７は，相互の交差位置に対をなすようにそれぞれ所定ピッチに配置した係止部を有する金属製の縦胴縁８と横胴縁１４とを備え，該係止部を介して縦胴縁８の外側に横胴縁１４を載架状に支持して格子状とした金属製のものとしてある。
【００２３】
該外装下地７の上記縦胴縁８及び横胴縁１４は，これを，それぞれ幅方向両側に低突出の起立リブ９，１５を配置し該起立リブ９，１５間底面に相互に対をなす係止部を配置したＣ字チャンネル材によって形成したものとし，本例にあって上記係止部を介した横胴縁１４の載架状の支持は，これを，縦胴縁８幅方向両側の起立リブ９をガイドとして横胴縁１４を押下げ降下することによって縦胴縁８と横胴縁１４の係止部相互をスナップイン係止して行ったものとしてある。
【００２４】
即ち外装下地７の縦胴縁８及び横胴縁１４は，例えば金属板にロール成形加工を施して幅方向両端を起立して起立リブ９，１５を有する上記Ｃ字チャンネル材とするとともにプレス加工を施すことによって起立リブ９，１５間の底面に所定ピッチの係止部を配置したものとしてあり，このとき該金属板は，例えば亜鉛メッキ鋼板又はそのガルバニウム鋼板等の耐食性に優れた鋼板を用いるとともに，縦胴縁８にあってはその背面側に後述の外断熱層６との直接の接触を防止する接触防止層，本例にあっては図示省略の樹脂塗膜層を形成したものとしてある。
【００２５】
本例にあって縦胴縁８は，幅を４乃至５ｃｍ程度，その両端の起立リブ９の高さを１ｃｍ程度以下，例えば数ｍｍ程度とし，起立リブ９長手方向の両端同一位置に後述の横胴縁１４を受止めするように更に数ｍｍ程度突出する横胴縁受座１０を所定ピッチに配置した長尺のものとしてあり，このとき該縦胴縁８はその長さを建物が基準とする寸法の約数の，例えば４５〜５０ｃｍ程度としてあり，その底面には幅方向略中央に所定ピッチ，例えば１５ｃｍ程度のピッチで多数の透孔による釘孔１１を，またこれと位置を異にして同じく幅方向略中央に所定ピッチ，例えば７乃至８ｃｍ程度のピッチで係止部を配置してある。
【００２６】
また本例にあって横胴縁１４は，幅を同じく４乃至５ｃｍ程度，その両端の起立リブ１５の高さを１ｃｍ程度以上，例えば１ｃｍ強程度とし，該両端の起立リブ１５の各先端に後述の外装材２１を引掛係止するように更に数ｍｍ程度それぞれ上方に折り返すように折曲形成した上向きの引掛部１６を配置した長尺のものとしてあり，このとき該横胴縁１４はその長さを同じく建物が基準とする寸法の約数の１．８〜２ｍ程度としてあり，その底面には同じく所定ピッチ，例えば５０ｃｍ程度のピッチで上記縦胴縁８の係止部と対をなす横胴縁側の係止部を配置してある。
【００２７】
本例にあって縦胴縁８と横胴縁１４の係止部は，例えば上記ロール成形後にそれぞれプレス加工を施すことによってこれらの底面に後加工によって配置してあり，縦胴縁８において該係止部は底面を部分的に切起し加工して起立リブ９間に上向きに設置した幅広の起立片１２と，その上方に該起立片１２を部分的に切り起し加工して設置した幅狭下向きの係止舌片１３とを備えたものとしてあり，横胴縁１４において該係止部は底面を部分的に切欠き加工して底面下方に設置した下位透孔１７とその底面上方に設置した上位透孔１８とを備えたものとしてある。
【００２８】
縦胴縁８における本例の起立片１２は，例えば底面から連結部と該連結部から立ち上げた起立部とによって断面略Ｌ字状とするとともに該起立部を立上げるにつれて起立リブ９間の内側に向けて傾斜乃至湾曲し，起立リブ９間に至った位置で起立リブ９間から外側に向けて屈曲して先端を起立リブ９間から幾分突出するように形成した，例えば断面略へ字状を呈する屈曲の起立片とするとともにその屈曲部分に上記係止舌片１３を起立リブ９間に入り込んだ状態に内側下向きに傾斜突出したものとしてある。
【００２９】
また横胴縁１４における本例の上位透孔１７は，その幅を上記縦胴縁８の起立片１２と同等以上し，高さを起立片１２の立上げ高さより高くすることによって該起立片１２を受入れ挿通自在とした，本例にあって矩形の透孔とし，また下位透孔１８は，該上位透孔１８の透設によって残った残余底面に位置して幅を上記係止舌片１３と同等以上とし，高さを幅より低くして該係止舌片１３を受入れ挿通自在としたスリットによる透孔としてある。
【００３０】
従ってこれらの係止部を備えた縦胴縁８と横胴縁１４は，横胴縁１４，特にその底面を縦胴縁８両側の起立リブ９に載置するように対接して起立片１２を下位透孔１７に受入れ状態として，該起立リブ９に添って横胴縁１４を下方に向けて，例えば該起立リブ９に設置した上記横胴縁受座１０に横胴縁１４の下端が当たるように押下げ降下すれば，下位透孔１８の上方縁部が起立リブ９間から幾分外方に突出した起立片１２の先端に引掛かり状となるとともに屈曲した起立片１２が幾分拡開するとともに係止舌片１３が押圧されながら該起立片１２が上位透孔１７上方の残余底面を強圧状態で受入れ，更に該起立片１２における係止舌片１３が上位透孔１７の位置に至ることによってこれに弾発的に圧入係止してそのスナップイン係止がなされ，これら縦胴縁８と横胴縁１４の強固にして安定した係止接合が得られる。
【００３１】
外装下地７は，多数本の縦胴縁８に多数本の横胴縁１４をその各交差位置で係止して格子状，特に桝目の格子状として使用するが，該外装下地７の形成はこれを工場において予め組んで建築現場に搬入設置する形態と，建築現場に縦胴縁８と横胴縁１４を搬入して該現場において組んでこれを設置する形態が可能である。このとき縦胴縁８は，横胴縁１４の長さを等分するように，例えば５０ｃｍ程度のピッチで５〜６本を配置して，これに横胴縁１４を各係止部を介して載架状に支持すればよいが，横胴縁１４はこれに引掛け支持する外装材２１の種類に応じて，例えばレンガやタイルのときは縦胴縁８における係止部のピッチ毎にピッチと合わせた本数のものとする一方，例えばパネルのときは該パネルの高さに対応する任意の位置に応じたピッチ数より少ない本数のものとすることが可能である。
【００３２】
縦胴縁８と横胴縁１４による格子状の外装下地７は，縦胴縁８を内側とし，横胴縁１４を外側とした状態として，これを外断熱建物の外断熱層６の外側に配置し，横胴縁８の上記上下の上向きの引掛部１６に対して，外装材２１，本例にあっては窯業系外装材のレンガを，その上下にリブ状に配置した引掛け係止部を引掛支持することによって張設を行なうとともにレンガ間にはモルタル目地２２を配置するようにすればよい。なお該レンガの張設を，横胴縁１４の上記上下の上向き引掛部１６を対としてこれにレンガを引掛支持すれば，その縦目地にはバックアップ材をレンガ間に挿入してモルタル施工を行なうが，横目地には横胴縁１４の底面がバックアップとなるから，その直接のモルタル目地２２施工が可能となる。また横胴縁１４の配置ピッチによって，例えば隣接する上下の横胴縁１４間にその一方の下方と他方の上端を対としてレンガを引掛支持することが可能となるが，この場合には縦横にバックアップ材を用いてそのモルタル施工を行えばよい。
【００３３】
本例にあって外装下地７の配置における内側の縦胴縁８は，これを，外断熱層６の外側面に対接した状態でネジ，スクリュー釘等の建物構造，本例にあっては建物構造材の柱，間柱に対する長手方向に多数の固定金具２０によって固定して該縦胴縁８により外断熱層６を建物構造４に強圧的に挟持固定してその設置を行ったものとしてある。
【００３４】
本例にあって縦胴縁８の設置は，弾発性を発揮するように，例えば半球形として弾発材料によって形成したファスナー１９を用いて，縦胴縁８の釘孔１１を介して該ファスナー１９からの金具２０，本例にあってはスクリュー釘を建物構造４の柱，間柱等に打ち込んで，ファスナー１９の弾発性によって縦胴縁８が外断熱層６を強圧的に挟持するようにこれを行ってあり，このときファスナー１９の上記弾発材料を合成樹脂，例えば硬質ナイロンとすることによって該金具２０が金属製縦胴縁の熱伝導を受けるのを防止し，外断熱構造に好適なサーマルブリッジ措置を兼用するようにしてある。
【００３５】
また本例にあって外断熱層６は，例えば独立気泡が微細であることによって高度な断熱性を得られるフェノール樹脂の発泡による断熱パネルを用いたものとしてあるが，該フェノール樹脂には酸性触媒が使用されることによって該外断熱層６が酸性を呈するものとされ，従ってこれに対接する金属製の縦胴縁８が腐食して外装下地７としての耐久性が損われる可能性が残るから，本例にあっては縦胴縁８の背面に上記樹脂塗膜層による接触防止層を形成したことによって，縦胴縁８の金属材料が直接これに接触するのを防止して，高度な断熱性を得る一方で，外装下地７を金属製としたことによる問題点を解消したものとしてある。
【００３６】
このように外断熱層６の外側に外装下地７を配置したことによって，外断熱層６と外装材２１間には該外装下地７による通気空間２３が形成されるが，本例の通気空間２３は，これを，１ｃｍ程度乃至それ以下の幅，特に５ｍｍ程度としてあり，この種ネジ，スクリュー釘等の固定金具２０を用いる場合に一般に２ｃｍ程度とされる通気空間幅に対してその幅を１／４程度に減少することによって，該金具２０を用いる場合の建物構造４と外装下地７の胴縁との間の７ｃｍ程度の合計幅との差，即ち１．５ｃｍ程度の余剰分を外断熱層６に加えて，該外断熱層６を一般の３乃至５ｃｍ程度から，例えば６．５ｃｍ程度に厚くすることによって，外断熱建物の断熱性を更に高度に向上確保したものとしてある。
【００３７】
即ち本例の外装下地７にあって，横胴縁８は外装材２１を引掛け支持することによって該外装材２１がその起立リブ１５間の内部に入り込むから，外装下地７による通気空間２３は実質的に縦胴縁８の出幅，即ちその起立リブ９の起立高さと同等乃至これに近い幅となり，該縦胴縁８の出幅は，その幅方向両端の起立リブ９の高さ，即ち５ｍｍ程度であることによって，本例の外断熱建物における上記通気空間２３は，これを上記５ｍｍ程度とすることが可能となり，その分外断熱層６の厚さを大きく増加した好ましい外断熱建物を得られる。
【００３８】
以上のように構成した外装下地７は，建物構造４に外断熱層６を強圧挟持して固定した縦胴縁８に対して横胴縁１４が強固に安定して係止接合され載架状に支持されて格子状に形成されることによって下地強度が充分に確保され，外装下地７としてレンガ，タイル，天然石又は人工石のパネル等の外装材２１を使用した場合を含めてその荷重支持が安定且つ耐久性を備えたものとなるとともに現場の外装工事に煩雑さがなく，これを容易且つ確実になし得るとともに縦胴縁８の出幅と同等乃至これに近い幅にして通気空間２３の幅を可及的に減少し，その分外断熱層６の厚さを増加できる外断熱建物の外装構造とすることができる。また縦胴縁８と横胴縁１４も比較的簡単な構造にしてその交差位置で簡易にスナップイン係止することによって相互の強固な係止接合を行なって下地強度を充分に確保するとともに比較的低コストにして耐火構造に適合し，実用に適した外装下地７とすることができる。
【００３９】
なお図中１布基礎，２は土台，３は水切，５は，本例にあって建物構造材の柱，間柱に張設してこれらとともに建物構造をなすように配置した構造用パネルである。
【００４０】
図示した例は以上のとおりとしたが，上記スナップイン係止を行なうとき上記上位透孔に代えて横胴縁に係止舌片を配置し，上記係止舌片に代えて縦胴縁に該横胴縁の係止舌片を受入れ係止するスリット状の透孔を透設すること，縦胴縁の上記ファスナーを円盤プレート等の面圧を縦胴縁に付与する形態のものとすること，外装構造をコンクリート壁に対して適用すること，外装構造を屋根に対して適用すること，フェノール樹脂の外断熱層を用いる場合，縦胴縁の接触防止層をペーパー層，樹脂フィルム層等の介設によるものとすること等を含めて，本発明の実施に当って，外装下地，縦胴縁，横胴縁，これらの係止部，外断熱層，外装材，通気空間，必要に応じて用いるネジ，スクリュー釘等の金具，起立リブ，これを備えたＣ字チャンネル材，スナップイン係止等の各具体的形状，構造，材質，寸法，これらの関係，これらに対する付加等は，上記発明の要旨に反しない限り様々な形態のものとすることができる。
【図面の簡単な説明】
【００４１】
【図１】外壁の一部切欠き斜視図である。
【図２】外装下地の正面図である。
【図３】縦胴縁と横胴縁及びファスナーの関係を示す拡大斜視図である。
【図４】縦胴縁中央部における横胴縁との係止状態を示す拡大断面図である。
【図５】縦胴縁幅方向端部における横胴縁との係止状態を示す拡大断面図である。
【図６】縦胴縁の正面図である。
【図７】縦胴縁の側面図である。
【図８】縦胴縁係止部の拡大正面図である。
【図９】横胴縁の正面図である。
【図１０】横胴縁の断面図である。
【図１１】横胴縁係止部の拡大正面図である。
【図１２】外装下地と外装材との関係を示す縦断面図である。
【符号の説明】
【００４２】
４  建物構造
６  外断熱層
７  外装下地
８  縦胴縁
９  起立リブ
１２  起立片
１３  係止舌片
１４  横胴縁
１５  起立リブ
１６  上向き引掛部
１７  下位透孔
１８  上位透孔
２１  外装材
２３  通気空間
【図１】
2005307640.tif 000003
【図２】
2005307640.tif 000004
【図３】
2005307640.tif 000005
【図４】
2005307640.tif 000006
【図５】
2005307640.tif 000007
【図６】
2005307640.tif 000008
【図７】
2005307640.tif 000009
【図８】
2005307640.tif 000010
【図９】
2005307640.tif 000011
【図１０】
2005307640.tif 000012
【図１１】
2005307640.tif 000013
【図１２】
2005307640.tif 000014